(57)【要約】【課題】周りの環境や使用者の使用状況に応じた柔軟な調光制御が行えなかった。【解決手段】ＬＥＤ２６、無線送受信回路２１、ＬＥＤ２６の点灯・消灯・調光を制御するＬＥＤ制御部２０を有するＬＥＤ照明管１０と、ＬＥＤ照明管１０に対してＬＥＤ２６の点灯・消灯・調光の指示を無線で送信する無線リモコン１３と、ＬＥＤ照明管１０との間で無線により送受信されるデータをインターネット１２に中継するインターネット接続モデム１４と、インターネット１２を介してＬＥＤ２６の調光を制御する制御サーバ１１と、インターネット１２を介して制御サーバ１１に接続される利用者用端末１６とを備える。制御サーバ１１は、利用者用端末１６および制御サーバ１１に入力された入力データ、インターネット１７から取得する天候に関する情報、およびＬＥＤ照明管１０に対して無線リモコン１３から送信されてきた指示情報に基づいてＬＥＤ２６の調光を制御する。【選択図】図１
2010238572.tif 000002
【特許請求の範囲】
【請求項１】
ＬＥＤが配置されたＬＥＤ基板と、無線送受信回路と、前記ＬＥＤの点灯、消灯および調光を制御するＬＥＤ制御部とを有するＬＥＤ照明管と、
前記ＬＥＤ照明管に対して、前記ＬＥＤの点灯、消灯および調光の指示を無線で送信する無線リモコンと、
無線により前記ＬＥＤ照明管とデータの送受信を行い、前記無線により送受信されるデータをインターネットに中継するインターネット接続モデムと、
前記インターネットを介して前記インターネット接続モデムに接続され、少なくとも前記ＬＥＤの調光を制御する制御サーバと、
前記インターネットを介して、前記制御サーバに接続される利用者用端末とを備えたＬＥＤ照明制御システムであって、
前記制御サーバは、前記利用者用端末および前記制御サーバ自身に入力された入力データ、前記インターネットから取得する少なくとも天候に関する情報、および前記ＬＥＤ照明管に対して前記無線リモコンから送信されてきた指示情報に基づいて前記ＬＥＤの調光を制御する、ＬＥＤ照明制御システム。
【請求項２】
前記制御サーバは、前記利用者用端末および前記制御サーバ自身に入力された入力データ、および前記インターネットから取得する前記少なくとも天候に関する情報を初期データとして用いて前記ＬＥＤの調光を制御し、前記ＬＥＤ照明管に対して前記無線リモコンから送信されてきた前記指示情報を前記ＬＥＤ照明管から前記インターネットを介して受信した場合には、前記指示情報を反映するように学習し、その学習結果にしたがって前記ＬＥＤの調光を制御する、請求項１に記載のＬＥＤ照明制御システム。
【請求項３】
前記ＬＥＤ照明管は、複数あり、
前記制御サーバは、前記ＬＥＤ照明管単位ごとに個別に調光を制御し、所定数以上の前記ＬＥＤ照明管単位に対して前記無線リモコンによる調光が指示された場合には、その指示内容に基づいて、前記調光が指示された以外の前記ＬＥＤ照明管単位の全部または所定割合以上の調光を制御する、請求項１または２に記載のＬＥＤ照明制御システム。
【請求項４】
前記ＬＥＤ照明管単位ごとに個別に調光を制御するとは、一の前記ＬＥＤ照明管ごとに調光を制御すること、または一群の複数の前記ＬＥＤ照明管ごとに調光を制御することである、請求項３に記載のＬＥＤ照明制御システム。
【請求項５】
前記ＬＥＤ照明管は、充電池を有しており、
前記ＬＥＤ照明管へ供給されている電力が停止した場合には、前記ＬＥＤは、前記充電池から供給される電力によって発光する、請求項１〜４のいずれかに記載のＬＥＤ照明制御システム。
【請求項６】
前記ＬＥＤ照明管は、カメラおよび防犯センサーの少なくともいずれかを有しており、
前記ＬＥＤ制御部は、前記カメラで撮影した映像データおよび前記防犯センサーで検知した検知データの少なくともいずれかを前記インターネットを介して前記制御サーバに通知する、請求項１〜５のいずれかに記載のＬＥＤ照明制御システム。
【請求項７】
前記制御サーバは、前記ＬＥＤ照明管ごとに履歴を管理し、
前記利用者端末は、前記インターネットを介して前記制御サーバで管理されている前記履歴を参照できる、請求項１〜６のいずれかに記載のＬＥＤ照明制御システム。
【請求項８】
前記ＬＥＤ照明管は、可視光通信モジュールを有しており、他の前記ＬＥＤ照明管との間で可視光通信を行う、請求項１〜７のいずれかに記載のＬＥＤ照明制御システム。
【発明の詳細な説明】
【技術分野】
【０００１】
本発明は、ＬＥＤ照明の調光を制御するＬＥＤ照明制御システムに関する。
【背景技術】
【０００２】
従来、照度センサーにより照明負荷の被照射面の照度（以下、照度とする）を検出し、この照度が所定の照度で略一定となるように、照明負荷の光出力の値をフィードバック制御して照明負荷を点灯させる照明装置が知られている（例えば、特許文献１参照）。
【０００３】
図６に、特許文献１で提案されている照明灯制御システムのブロック構成図を示す。
【０００４】
この照明灯制御システムは、部屋の天井などにインバータ装置１０５を内蔵した照明灯１０１と、その近傍に検知装置１０２を設けている。
【０００５】
検知装置１０２は、照度センサー１０３で照明灯１０１の照度を常時検出し、照度判定回路１０４によって照度センサー１０３の検出値と予め設定された目標照度範囲の基準値とを比較し、照度が目標照度範囲となるようにインバータ装置１０５を作動させ、照明灯１０１の調光を円滑に行わせる。
【０００６】
そして、照明灯１０１の出力が所定出力を超えるようにインバータ装置１０５を制御してもなお照度センサー１０３が目標照度範囲内の照度を検出できないときには、警告信号発生回路１０６によって警報信号を出力し、信号発生装置１０７がＬＥＤ等の発光や音声出力などにより使用者に注意を喚起する。
【０００７】
以上のような動作により、照明灯１０１が常に目標照度で周囲を照らすように調光制御するとともに、長期間の使用等により照明灯１０１の照度が低下してきたことを通知して、照明灯１０１の交換を使用者に促すことができる。
【先行技術文献】
【特許文献】
【０００８】
【特許文献１】特開平５−２４２９７２号公報
【発明の概要】
【発明が解決しようとする課題】
【０００９】
しかしながら、従来の照明灯制御システムでは、予め決められた目標照度範囲になるように調光制御するのみであり、周りの環境に応じた柔軟な調光制御は行えなかった。
【００１０】
例えば、外光が入る窓の有る部屋に照明灯１０１が設けられている場合、同じ目標照度範囲になるように照明灯１０１の出力を制御しても、使用者は、太陽光が窓から入ってくるときには暗く感じ、曇っているときなどには明るく感じる。
【００１１】
したがって、使用者が、照明灯１０１が設けられている部屋が明るすぎる、または暗すぎると感じないようにするためには、太陽光が窓から入ってくる場合には予め決められた目標照度範囲よりも明るい照度となるように照明灯１０１の出力を制御し、曇っているときには予め決められた目標照度範囲よりも暗い照度となるように照明灯１０１の出力を制御すればよいが、従来の照明灯制御システムでは、このような周りの環境に応じた調光制御はできなかった。
【００１２】
また、上記した制御内容とは逆に、使用環境によっては、太陽光が窓から入ってくる場合に、太陽光によって明るさが補われるために、その分照明灯１０１の出力を低減させてもよい場合もある。すなわち、調光の制御方法は画一的に決められるものではなく、使用環境や使用者の感じ方などによって、調光の制御内容を異ならせる必要がある。従来の照明灯制御システムでは、使用環境や使用者の感じ方に応じた調光制御はできなかった。
【００１３】
本発明は、上記従来の課題を考慮して、周りの環境や使用者の使用状況に応じて柔軟な調光制御が行えるＬＥＤ照明制御システムを提供することを目的とする。
【課題を解決するための手段】
【００１４】
上述した課題を解決するために、第１の本発明は、
ＬＥＤが配置されたＬＥＤ基板と、無線送受信回路と、前記ＬＥＤの点灯、消灯および調光を制御するＬＥＤ制御部とを有するＬＥＤ照明管と、
前記ＬＥＤ照明管に対して、前記ＬＥＤの点灯、消灯および調光の指示を無線で送信する無線リモコンと、
無線により前記ＬＥＤ照明管とデータの送受信を行い、前記無線により送受信されるデータをインターネットに中継するインターネット接続モデムと、
前記インターネットを介して前記インターネット接続モデムに接続され、少なくとも前記ＬＥＤの調光を制御する制御サーバと、
前記インターネットを介して、前記制御サーバに接続される利用者用端末とを備えたＬＥＤ照明制御システムであって、
前記制御サーバは、前記利用者用端末および前記制御サーバ自身に入力された入力データ、前記インターネットから取得する少なくとも天候に関する情報、および前記ＬＥＤ照明管に対して前記無線リモコンから送信されてきた指示情報に基づいて前記ＬＥＤの調光を制御する、ＬＥＤ照明制御システムである。
【００１５】
また、第２の本発明は、
前記制御サーバは、前記利用者用端末および前記制御サーバ自身に入力された入力データ、および前記インターネットから取得する前記少なくとも天候に関する情報を初期データとして用いて前記ＬＥＤの調光を制御し、前記ＬＥＤ照明管に対して前記無線リモコンから送信されてきた前記指示情報を前記ＬＥＤ照明管から前記インターネットを介して受信した場合には、前記指示情報を反映するように学習し、その学習結果にしたがって前記ＬＥＤの調光を制御する、第１の本発明のＬＥＤ照明制御システムである。
【００１６】
また、第３の本発明は、
前記ＬＥＤ照明管は、複数あり、
前記制御サーバは、前記ＬＥＤ照明管単位ごとに個別に調光を制御し、所定数以上の前記ＬＥＤ照明管単位に対して前記無線リモコンによる調光が指示された場合には、その指示内容に基づいて、前記調光が指示された以外の前記ＬＥＤ照明管単位の全部または所定割合以上の調光を制御する、第１または第２の本発明のＬＥＤ照明制御システムである。
【００１７】
また、第４の本発明は、
前記ＬＥＤ照明管単位ごとに個別に調光を制御するとは、一の前記ＬＥＤ照明管ごとに調光を制御すること、または一群の複数の前記ＬＥＤ照明管ごとに調光を制御することである、第３の本発明のＬＥＤ照明制御システムである。
【００１８】
また、第５の本発明は、
前記ＬＥＤ照明管は、充電池を有しており、
前記ＬＥＤ照明管へ供給されている電力が停止した場合には、前記ＬＥＤは、前記充電池から供給される電力によって発光する、第１〜第４のいずれかの本発明のＬＥＤ照明制御システムである。
【００１９】
また、第６の本発明は、
前記ＬＥＤ照明管は、カメラおよび防犯センサーの少なくともいずれかを有しており、
前記ＬＥＤ制御部は、前記カメラで撮影した映像データおよび前記防犯センサーで検知した検知データの少なくともいずれかを前記インターネットを介して前記制御サーバに通知する、第１〜第５のいずれかの本発明のＬＥＤ照明制御システムである。
【００２０】
また、第７の本発明は、
前記制御サーバは、前記ＬＥＤ照明管ごとに履歴を管理し、
前記利用者端末は、前記インターネットを介して前記制御サーバで管理されている前記履歴を参照できる、第１〜第６のいずれかの本発明のＬＥＤ照明制御システムである。
【００２１】
また、第８の本発明は、
前記ＬＥＤ照明管は、可視光通信モジュールを有しており、他の前記ＬＥＤ照明管との間で可視光通信を行う、第１〜第７のいずれかの本発明のＬＥＤ照明制御システムである。
【発明の効果】
【００２２】
本発明により、周りの環境や使用者の使用状況に応じて柔軟な調光制御が行えるＬＥＤ照明制御システムを提供できる。
【図面の簡単な説明】
【００２３】
【図１】本発明の実施の形態１のＬＥＤ照明制御システムの構成図
【図２】本発明の実施の形態１のＬＥＤ照明制御システムの各装置間の情報の流れを示す図
【図３】（ａ）〜（ｆ）本発明の実施の形態１の利用者用端末の入力画面例および表示画面例を示す図
【図４】本発明の実施の形態１のＬＥＤ照明制御システムの接続構成例を示す図
【図５】本発明の実施の形態１の他の構成のＬＥＤ照明制御システムの構成図
【図６】従来の照明灯制御システムのブロック構成図
【発明を実施するための形態】
【００２４】
以下、本発明の実施の形態について、図面を参照しながら説明する。
【００２５】
（実施の形態１）
図１に、本発明の実施の形態１のＬＥＤ照明制御システムの構成図を示す。
【００２６】
本実施の形態１のＬＥＤ照明管１０は、蛍光管に代替可能な形状をしている。すなわちＬＥＤ照明管１０は、蛍光管と同様に両端に電極端子を有し、既存の蛍光灯器具に装着して使用できるものである。
【００２７】
そして、宅内には、ＬＥＤ照明管１０の他に、ＬＥＤ照明管１０のＬＥＤ２６を調光するための調光用リモコン１３、ＬＥＤ照明管１０との間で無線通信を行うアクセスポイント１５、アクセスポイント１５をインターネット１２に接続するためのブロードバンドルーター１４が設置されている。
【００２８】
また、宅外において、インターネット１２には、ＬＥＤ照明管１０のＬＥＤ２６の調光を制御するための制御サーバ１１、ＶＰＮセッションサーバ２７、およびＬＥＤ照明管１０の利用者の端末１６が接続される。
【００２９】
なお、利用者用端末１６は、パソコン、ＰＤＡ、携帯電話などであり、宅内に設置してインターネット１２に接続してもよいし、図１に示すように宅外からインターネット１２に接続するようにしてもよい。
【００３０】
本実施の形態１のＬＥＤ照明管１０は、その内部に、制御部２０、無線送受信部２１、ログ保存部２２、充電池２３、環境センサー２４、監視センサー２５、およびＬＥＤ２６が配置されたＬＥＤ基板が設けられている。
【００３１】
無線送受信部２１は、無線送受信回路を含み、調光用リモコン１３およびアクセスポイント１５との間でＺｉｇＢｅｅ（登録商標）による無線通信を行う。
【００３２】
ログ保存部２２は、ＥＥＰＲＯＭであり、ＬＥＤ照明管１０の２４時間分のログを保存している。制御部２０が、ログとして、ＬＥＤ照明管１０の所定時間毎の、消費電流、消費電力、ＬＥＤ２６の調光状態、環境センサー２４の検知情報、監視センサー２５の感知情報などをログ保存部２２に記録する。
【００３３】
充電池２３は、リチウムポリマー等の内蔵バッテリーであり、夜間電力等により蓄電される。そして、ＬＥＤ照明管１０への商用電源からの通電が停止したような場合に、充電池２３からの電力がＬＥＤ２６に供給されて非常時の点灯に利用される。充電池２３による非常時の点灯は、例えば通常時の５０％に減光して点灯させる。
【００３４】
環境センサー２４は、ＬＥＤ照明管１０近傍の、温度、湿度、照度などを検知するセンサーである。これらのセンサーは、当初一部のセンサーのみが設けられていて、順次他のセンサーが追加設置されてもよい。
【００３５】
監視センサー２５は、人感センサー、振動センサー、カメラなどであり、人体の検知や異常な状況を監視するセンサーである。これらのセンサーは、当初設置されていなくてもよく、その後に順次センサーが追加設置されてもよい。また、監視センサー２５として、赤外線センサー、煙センサーなどを設置してもよい。なお、監視センサー２５が、本発明の防犯センサーの一例にあたる。
【００３６】
制御部２０は、無線送受信部２１で受信した調光用リモコン１３からの調光指示情報にしたがってＬＥＤ２６の調光を制御し、また無線送受信部２１およびインターネット１２を介して、制御サーバ１１との間で各種情報の送受信を行う。
【００３７】
制御部２０は、制御サーバ１１から受信する調光制御情報にしたがってＬＥＤ２６の調光を制御するとともに、ログ保存部２２に保存している情報、環境センサー２４および監視センサー２５から取得した検知情報を制御サーバ１１へ送信する。
【００３８】
なお、制御部２０が、本発明のＬＥＤ制御部の一例にあたる。
【００３９】
調光用リモコン１３は、ＬＥＤ照明管１０に対して、ＬＥＤ２６の点灯、消灯および調光を指示する情報をＺｉｇＢｅｅプロトコルにより無線で送信し、ＬＥＤ２６をローカルに制御する。なお、調光用リモコン１３が、本発明の無線リモコンの一例にあたる。
【００４０】
アクセスポイント１５は、ＺｉｇＢｅｅプロトコルによりＬＥＤ照明管１０の無線送受信部２１との間で無線通信を行い、ブロードバンドルーター１４を介することにより、ＬＥＤ照明管１０の制御部２０からインターネット１２へのアクセスを可能としている。
【００４１】
なお、ブロードバンドルーター１４とアクセスポイント１５を合わせた構成が、本発明のインターネット接続モデムの一例にあたる。
【００４２】
図１では、１つのＬＥＤ照明管１０しか記載していないが、アクセスポイント１５には、複数のＬＥＤ照明管１０がＺｉｇＢｅｅプロトコルによって接続される。ブロードバンドルーター１４は、ＶＰＮ機能およびルータ機能を備えており、インターネット１２を介して接続される制御サーバ１１から、宅内に設置されている複数のＬＥＤ照明管１０のそれぞれと、個別に通信が可能となっている。
【００４３】
制御サーバ１１は、アプリケーションサーバ２８およびデータベース２９を備えている。
【００４４】
ＶＰＮセッションサーバ２７は、ＺｉｇＢｅｅアクセスポイントをＶＰＮ化し、制御サーバによる、インターネット１２を介して接続される複数のＬＥＤ照明管１０の、個別の制御を可能にしている。
【００４５】
アプリケーションサーバ２８には、ＬＥＤ照明管１０の調光を制御するための照明管理ソフトウェアを備えており、インターネット１２を介してＬＥＤ照明管１０の調光を制御する。照明管理ソフトウェアは、利用者によって利用者用端末１６から入力された情報、制御サーバ１１自身から入力したＬＥＤ照明管１０に関する情報、ＬＥＤ照明管１０から取得しデータベース２９に蓄積している情報、および気象庁ＨＰ１７などから取得するインターネット１２から得られる情報に基づいて、ＬＥＤ照明管１０ごとに調光を制御する。
【００４６】
データベース２９には、利用者に関する顧客情報、ＬＥＤ照明管１０からインターネット１２を介して取得したＬＥＤ照明管１０ごとの履歴情報などが蓄積されている。
【００４７】
利用者用端末１６は、インターネット１２を介して制御サーバ１１にアクセス可能であり、データベース２９に蓄積されているＬＥＤ照明管１０の履歴情報などを参照できるとともに、制御サーバ１１に対してＬＥＤ照明管１０に対する調光指示を送信することもできる。
【００４８】
次に、図１〜図３を用いて、本実施の形態１のＬＥＤ照明制御システムの動作について説明する。
【００４９】
図２は、本実施の形態１のＬＥＤ照明制御システムの各装置間の情報の流れを示している。図３（ａ）〜（ｆ）は、それぞれ、利用者用端末１６における入力画面例および表示画面例を示している。
【００５０】
まず、ＬＥＤ照明管１０を使用する利用者が、利用者用端末１６から、ＬＥＤ照明管１０の設置場所に関する情報を入力する。ＬＥＤ照明管１０の設置場所に関する情報とは、設置されている場所の住所、建物の高さ、何階に設置されているか、部屋の広さ、窓の有無、窓から設置されている位置までの距離、などの情報である。利用者は、アプリケーションサーバ２８によってインターネット１２上に提供されているページに利用者用端末１６からログインし、これらの利用者情報３６を入力する。例えば、図３（ａ）は利用者のログイン画面を示している。利用者がログイン情報を入力すると図３（ｂ）のような画面が表示され、この画面で「基本情報」を選択すると、図３（ｃ）のような画面が表示され、利用者情報３６を入力できるようになる。
【００５１】
また、制御サーバ１１自身からも、ＬＥＤ照明管１０に関する情報を入力する。例えば、利用者用端末１６から利用者が入力した住所の情報から、ＬＥＤ照明管１０が設置されている場所の経度および緯度情報を求めて入力する。経度および緯度情報と、日付時間情報、ＬＥＤ照明管１０が設置されている階数、窓の位置などの情報から、時間毎の日射角度を求めることができる。経度および緯度情報は、インターネット上の情報を利用することにより、住所から容易に求めることができる。
【００５２】
制御サーバ１１は、ＬＥＤ照明管１０毎に、個別に各種設定情報３０を設定する。各種設定情報３０とは、例えば日付や時間情報などである。
【００５３】
また、制御サーバ１１は、利用者用端末１６および制御サーバ１１自身に入力された情報と、気象庁ＨＰ１７から得られる天候に関する情報に基づいて、ＬＥＤ照明管１０毎に調光制御情報３１を作成し、ＬＥＤ照明管１０に送信してＬＥＤ２６の調光を制御する。気象庁ＨＰ１７から得られる天候に関する情報とは、ＬＥＤ照明管１０が設置されている場所における情報であり、例えば、その場所の天気情報、降水量、気温、湿度、風向き、風速などの情報である。
【００５４】
これらの天候に関する情報は、例えば、気象庁ＨＰ１７から取得できるＨＴＭＬ文書の中から、対象とするＬＥＤ照明管１０が設置されている地域における天候に関する情報データを抽出するプログラムを作成して、アプリケーションサーバ２８が有する照明管理ソフトウェアに組み込んでおき、自動的に取得できるようにしてもよい。このようにすることにより、人間が介在することなく、制御サーバ１１によって全自動でＬＥＤ照明管１０の調光を制御することができる。
【００５５】
また、制御サーバ１１によって自動的にこれらの天候に関する情報を取得するのではなく、制御サーバ１１の管理者が、気象庁ＨＰ１７を見て、対象とするＬＥＤ照明管１０が設置されている地域における天候に関する情報を確認し、その確認した情報を制御サーバ１１に入力するようにしてもよい。
【００５６】
また、制御サーバ１１は、ＬＥＤ照明管１０に対して、定期的に状態確認３２を行う。例えば、３０分おきに、ＬＥＤ照明管１０の環境センサー２４で検知された情報を取得する。
【００５７】
ＬＥＤ照明管１０の制御部２０は、制御サーバ１１から受信した調光制御情報３１にしたがってＬＥＤ２６の調光を制御するが、そのＬＥＤ照明管１０が設置されている場所の使用者が、ＬＥＤ２６が明るすぎるまたは暗すぎると感じた場合には、その使用者は調光用リモコン１３を利用してそのＬＥＤ１６の明るさをローカルに調整する。
【００５８】
制御部２０は、無線送受信部２１を介して、調光用リモコン１３からの調光指示情報３３を受信した場合には、その内容にしたがってＬＥＤ２６の発光を調光するとともに、その調光された状態を示す調光状態情報３４を制御サーバ１１に送信する。
【００５９】
制御サーバ１１は、定期的状態確認３２によってＬＥＤ照明管１０から状態情報を取得した場合、および調光状態情報３４を取得した場合には、それらの情報を履歴情報としてデータベース２９に記録する。
【００６０】
その後、制御サーバ１１は、利用者用端末１６および制御サーバ１１自身に入力された情報と、気象庁ＨＰ１７から得られる天候に関する情報とともに、データベース２９に記録した履歴情報にも基づいてＬＥＤ照明管１０毎の調光制御情報３１を作成し、ＬＥＤ照明管１０に送信してＬＥＤ２６の調光を制御する。つまり、利用者によってローカルの調光制御が行われたという状況を学習して、その結果を反映した制御が行われることになる。
【００６１】
このように制御することにより、ＬＥＤ照明管１０が設置されている場所の使用者の要望に沿って調光を制御することができる。例えば、その場所に居る使用者が、最初に設定された調光制御内容では暗すぎると感じた場合には、調光用リモコン１３でＬＥＤ１６が明るくなるように調整され、その調整内容が履歴情報としてデータベース２９に記録される。そして、その後は、データベース２９に記録されたその履歴情報にも基づいて調光が制御されるので、最初に設定された調光制御内容よりも明るくなるように制御されることになる。すなわち、その場所に居る使用者の要望に沿った調光制御がされることになる。
【００６２】
また、利用者用端末１６からも、ＬＥＤ２６の調光制御をローカルに行うことができる。アプリケーションサーバ２８によってインターネット１２上に提供されているページに利用者用端末１６からログインし、図３（ｂ）に示す画面で「調光設定」を選択すると、図３（ｆ）のような画面が表示される。利用者が、この画面で調光設定を行うと、その設定に応じた調光指示情報３７が制御サーバ１１に送信される。
【００６３】
制御サーバ１１は、利用者用端末１６から調光指示情報３７を受信すると、その指示内容に応じた調光制御情報３１を作成し、指示されたＬＥＤ照明管１０に送信する。ＬＥＤ照明管１０の制御部２０は、その調光制御情報３１にしたがってＬＥＤ２６の発光を調光することにより、利用者が利用者用端末１６に設定したローカルの設定にしたがった調光制御が実現される。
【００６４】
また、制御サーバ１１は、利用者用端末１６から調光指示情報３７を受信したときには、その指示内容にしたがった調光制御情報３１の内容を履歴情報としてデータベース２９に記録する。
【００６５】
したがって、その後、利用者用端末１６から入力された調光指示情報３７の内容も反映して調光の制御が行われるようになる。つまり、利用者からローカルの調光制御が行われたという状況を学習して、その結果を反映した制御が行われる。
【００６６】
また、利用者は、利用者用端末１６から、データベース２９に蓄積されている履歴情報や管理情報を参照することもできる。アプリケーションサーバ２８によってインターネット１２上に提供されているページに利用者用端末１６からログインし、図３（ｂ）に示す画面で「エコモニター」を選択すると、図３（ｄ）のような画面が表示される。さらに図３（ｄ）において、所望のグラフを選択すると、図３（ｅ）のように選択したグラフが拡大表示される。
【００６７】
これにより、利用者は、離れた場所から複数のＬＥＤ照明管１０についての個別の消費電力や、その時間的な推移などを把握することができる。これにより、利用者は、ＬＥＤ照明管１０のメンテナンス管理や寿命管理を行うことができる。
【００６８】
また、ＬＥＤ照明管１０の制御部２０は、監視センサー２５が人体や異常を検知した場合には、即座にその監視センサー情報３５を制御サーバ１１に通知する。
【００６９】
制御サーバ１１は、監視センサー情報３５が、例えば人の入室を示す情報の場合には、それまでよりもＬＥＤ２６を明るくさせる調光制御情報３１を作成して、ＬＥＤ照明管１０に送信し、ＬＥＤ２６が明るくなるよう制御させる。
【００７０】
また、制御サーバ１１受信した監視センサー情報３５が、振動センサーによって地震を検知したような場合や、煙センサーによって火災を検知したような場合、また人感センサ０やカメラによって不審者の侵入を検知した場合には、インターネット１２を介して利用者に通知するようにしたり、警報装置を作動させるようにしてもよい。
【００７１】
本実施の形態１のＬＥＤ照明制御システムは、このような動作とすることにより、防犯セキュリティ監視システムとしても利用できる。
【００７２】
また、制御サーバ１１が、複数のＬＥＤ照明管１０の調光を制御する場合において、あるＬＥＤ照明管１０の調光制御内容を他のＬＥＤ照明管１０に反映させるような制御をしてもよい。
【００７３】
図４は、本実施の形態１のＬＥＤ照明制御システムの接続構成例を示している。制御サーバ１１はインターネット１２を介して、複数のＬＥＤ照明管１０を個別に制御できるので、図４のように離れた複数の場所に設置されたＬＥＤ照明管１０を１台の制御サーバ１１で制御することができる。
【００７４】
例えば、図４に示す、Ａ工場、Ｂ工場、Ｃ工場が比較的近い場所にある場合に、Ａ工場とＢ工場の窓の近くに設置されているＬＥＤ照明管１０の所定割合（例えば、５０％）以上において所定の短い時間内にローカルで明るくなるよう調光された場合、天候によって外が急に暗くなったと判断して、Ａ工場およびＢ工場の窓の近くに設置されている他のＬＥＤ照明管１０も明るくなるように制御する調光制御情報３１を作成、送信して調光させるように制御してもよい。また、Ｃ工場も近くの場所にあるので、Ｃ工場の窓の近くに設置されているＬＥＤ照明管１０に対しても明るくなるように制御する調光制御情報３１を作成、送信して明るく調光させるように制御してもよい。
【００７５】
次に、図５に、本実施の形態１の他の構成のＬＥＤ照明制御システムの構成図を示す。図１と同じ構成部分には、同じ符号を用いている。
【００７６】
ここでは、図１の構成と異なる部分について説明する。
【００７７】
図１に示すＬＥＤ照明管１０が、その内部に監視センサー２５を備えていたのに対し、図５に示すＬＥＤ照明制御システムでは、監視センサー４３をＬＥＤ照明管１８の外部の別の場所に設置している点が異なる。
【００７８】
また、図５に示すＬＥＤ照明管１８は、内部に可視光通信部４１および受光部４２を備えている点が、図１に示したＬＥＤ照明管１０と異なる。なお、可視光通信部４１が、本発明の可視光通信モジュールの一例にあたる。
【００７９】
なお、図５に示すＬＥＤ照明管１９は、ＬＥＤ照明管１８と同じ構成のものである。
【００８０】
監視センサー４３は、監視センサー２５と同様に、人体の検知や異常な状況を監視するセンサーである。
【００８１】
監視センサー４３は、ＺｉｇＢｅｅプロトコルによる無線送信機能を備えており、ＬＥＤ照明管１８の無線送受信部２１との間で無線通信を行う。
【００８２】
監視センサー４３は、人体の検知や異常な状況を検知すると、その情報をＬＥＤ照明管１８の無線送受信部２１に送信する。ＬＥＤ照明管１８の制御部４０は、無線送受信部２１を介して監視センサー４３からの検知情報を受信すると、その情報に対応する図２に示した監視センサー情報３５を制御サーバ１１に送信する。以降の動作は、図１のＬＥＤ照明制御システムにおいて監視センサー２５が人体の検知や異常な状況を検知した場合と同様である。
【００８３】
可視光通信部４１は、制御部４０から渡されたデータを、ＬＥＤ２６を点滅制御させることによって可視光通信により送信する。また、可視光通信部４１は、受光部４２で受光した他のＬＥＤ照明管１９からの可視光の点滅情報から取得した可視光通信による受信データを制御部４０に渡す。
【００８４】
このようにして、ＬＥＤ照明管１８およびＬＥＤ照明管１９の制御部４０同士の間で、可視光通信によるデータの送受信が行われる。
【００８５】
なお、本実施の形態１の制御サーバ１１は、１本ずつのＬＥＤ照明管１０を個別に制御するようにしてもよいし、複数本のＬＥＤ照明管１０を一単位として、その単位ごとに個別に制御するようにしてもよい。複数本のＬＥＤ照明管１０の一単位として、例えば、窓に近い位置に設置されている複数本の組としたり、狭い部屋の場合にはその部屋に含まれる全てのＬＥＤ照明管１０を一つの単位としてもよい。
【００８６】
また、人は、点灯直後は暗さを感じ易いのに対して点灯して所定時間した後に少し暗くなっても暗くなったことを感じ難いという傾向があるので、アプリケーションサーバ２８の照明管理ソフトウェアによる調光制御として、点灯時は少し明るめに設定しておき、その後、所定期間後に少し暗くなるように徐々に減光していくような制御としてもよい。このように制御することにより、使用者にとって不快感なく、節電することができる。
【００８７】
また、本実施の形態では、各機器間の無線通信にＺｉｇＢｅｅプロトコルを用いることとしたが、他の無線方式を利用するものであってもよい。例えば、ブルートゥース（登録商標）、Ｗｉ−ｆｉ（登録商標）、Ｗｉ−ｍａｘ（登録商標）、ＧＳＭ、ＲＦなど、どのような無線方式であってもよい。
【００８８】
以上に説明したように、本発明のＬＥＤ照明制御システムを用いると、複数のＬＥＤ照明管１０を、個別に、それぞれの設置場所の環境や使用者の要望に応じて制御することができる。
【００８９】
本発明のＬＥＤ照明制御システムは、複数の場所にある工場や事務所などのＬＥＤ照明の制御および管理を、集中して行うことを実現できる。したがって、制御サーバ１１によって、複数の会社の工場や事務所などのＬＥＤ照明の制御および管理を個別に行うことも実現できる。
【産業上の利用可能性】
【００９０】
本発明に係るＬＥＤ照明制御システムは、周りの環境や使用者の使用状況に応じて柔軟な調光制御が行える効果を有し、ＬＥＤ照明の調光を制御するＬＥＤ照明制御システム等として有用である。
【符号の説明】
【００９１】
１０、１８、１９  ＬＥＤ照明管
１１  制御サーバ
１２  インターネット
１３  調光用リモコン
１４  ブロードバンドルーター
１５  アクセスポイント
１６  利用者用端末
１７  気象庁ＨＰ
２０  制御部
２１  無線送受信部
２２  ログ保存部
２３  充電池
２４  環境センサー
２５  監視センサー
２６  ＬＥＤ
２７  ＶＰＮセッションサーバ
２８  アプリケーションサーバ
２９  データベース
３０  各種設定情報
３１  調光制御情報
３２  定期的状態確認
３３  調光指示情報
３４  調光状態情報
３５  監視センサー情報
３６  利用者情報
３７  調光指示情報
３８  履歴・管理情報
４０  制御部
４１  可視光通信部
４３  監視センサー
【図１】
2010238572.tif 000003
【図２】
2010238572.tif 000004
【図３】
2010238572.tif 000005
【図４】
2010238572.tif 000006
【図５】
2010238572.tif 000007
【図６】
2010238572.tif 000008
【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
ＬＥＤが配置されたＬＥＤ基板と、無線送受信回路と、前記ＬＥＤの点灯、消灯および調光を制御するＬＥＤ制御部とを有するＬＥＤ照明管と、
前記ＬＥＤ照明管に対して、前記ＬＥＤの点灯、消灯および調光の指示を無線で送信する無線リモコンと、
無線により前記ＬＥＤ照明管とデータの送受信を行い、前記無線により送受信されるデータをインターネットに中継するインターネット接続モデムと、
前記インターネットを介して前記インターネット接続モデムに接続され、少なくとも前記ＬＥＤの調光を制御する制御サーバと、
前記インターネットを介して、前記制御サーバに接続される利用者用端末とを備えたＬＥＤ照明制御システムであって、
前記制御サーバは、前記利用者用端末および前記制御サーバ自身に入力された入力データ、前記インターネットから取得する少なくとも天候及び日射角度に関する情報、および前記ＬＥＤ照明管に対して前記無線リモコンから送信されてきた指示情報に基づいて前記ＬＥＤの調光を制御し、
前記日射角度は、少なくとも、前記ＬＥＤ照明管の設置場所情報と、現在の日付時間情報とから演算され、
さらに、前記ＬＥＤ照明管は、複数あり、
前記制御サーバは、所定の範囲に属する複数の前記ＬＥＤ照明管を、その単位ごとに個別に調光を制御し、所定数以上の前記ＬＥＤ照明管単位に対して前記無線リモコンによる調光が指示された場合には、その指示内容に基づいて、前記所定の範囲に属する、前記調光が指示された以外の前記ＬＥＤ照明管単位の全部または所定割合以上の調光を制御する、ＬＥＤ照明制御システム。
【請求項２】
前記所定の範囲とは、所定の一の地域、あるいは所定の建物の一の部屋である、請求項１記載のＬＥＤ照明制御システム。
【請求項３】
前記制御サーバは、前記利用者用端末および前記制御サーバ自身に入力された入力データ、および前記インターネットから取得する前記少なくとも天候及び日射角度に関する情報を初期データとして用いて前記ＬＥＤの調光を制御し、前記ＬＥＤ照明管に対して前記無線リモコンから送信されてきた前記指示情報を前記ＬＥＤ照明管から前記インターネットを介して受信した場合には、前記指示情報を反映するように学習し、その学習結果にしたがって前記ＬＥＤの調光を制御する、請求項１に記載のＬＥＤ照明制御システム。
【請求項４】
前記ＬＥＤ照明管単位ごとに個別に調光を制御するとは、一の前記ＬＥＤ照明管ごとに調光を制御すること、または一群の複数の前記ＬＥＤ照明管ごとに調光を制御することである、請求項１に記載のＬＥＤ照明制御システム。
【請求項５】
前記ＬＥＤ照明管は、充電池を有しており、
前記ＬＥＤ照明管へ供給されている電力が停止した場合には、前記ＬＥＤは、前記充電池から供給される電力によって発光する、請求項１〜４のいずれかに記載のＬＥＤ照明制御システム。
【請求項６】
前記ＬＥＤ照明管は、カメラおよび防犯センサーの少なくともいずれかを有しており、
前記ＬＥＤ制御部は、前記カメラで撮影した映像データおよび前記防犯センサーで検知した検知データの少なくともいずれかを前記インターネットを介して前記制御サーバに通知する、請求項１〜５のいずれかに記載のＬＥＤ照明制御システム。
【請求項７】
前記制御サーバは、前記ＬＥＤ照明管ごとに履歴を管理し、
前記利用者端末は、前記インターネットを介して前記制御サーバで管理されている前記履歴を参照できる、請求項１〜６のいずれかに記載のＬＥＤ照明制御システム。
【請求項８】
前記ＬＥＤ照明管は、可視光通信モジュールを有しており、他の前記ＬＥＤ照明管との間で可視光通信を行う、請求項１〜７のいずれかに記載のＬＥＤ照明制御システム。
【手続補正２】
【補正対象書類名】明細書
【補正対象項目名】００１４
【補正方法】変更
【補正の内容】
【００１４】
上述した課題を解決するために、第１の本発明は、
ＬＥＤが配置されたＬＥＤ基板と、無線送受信回路と、前記ＬＥＤの点灯、消灯および調光を制御するＬＥＤ制御部とを有するＬＥＤ照明管と、
前記ＬＥＤ照明管に対して、前記ＬＥＤの点灯、消灯および調光の指示を無線で送信する無線リモコンと、
無線により前記ＬＥＤ照明管とデータの送受信を行い、前記無線により送受信されるデータをインターネットに中継するインターネット接続モデムと、
前記インターネットを介して前記インターネット接続モデムに接続され、少なくとも前記ＬＥＤの調光を制御する制御サーバと、
前記インターネットを介して、前記制御サーバに接続される利用者用端末とを備えたＬＥＤ照明制御システムであって、
前記制御サーバは、前記利用者用端末および前記制御サーバ自身に入力された入力データ、前記インターネットから取得する少なくとも天候及び日射角度に関する情報、および前記ＬＥＤ照明管に対して前記無線リモコンから送信されてきた指示情報に基づいて前記ＬＥＤの調光を制御し、
前記日射角度は、少なくとも、前記ＬＥＤ照明管の設置場所情報と、現在の日付時間情報とから演算され、
さらに、前記ＬＥＤ照明管は、複数あり、
前記制御サーバは、所定の範囲に属する複数の前記ＬＥＤ照明管を、その単位ごとに個別に調光を制御し、所定数以上の前記ＬＥＤ照明管単位に対して前記無線リモコンによる調光が指示された場合には、その指示内容に基づいて、前記所定の範囲に属する、前記調光が指示された以外の前記ＬＥＤ照明管単位の全部または所定割合以上の調光を制御する、ＬＥＤ照明制御システムである。
また、第２の本発明は、
前記所定の範囲とは、所定の一の地域、あるいは所定の建物の一の部屋である、第１の発明のＬＥＤ照明制御システムである。
【手続補正３】
【補正対象書類名】明細書
【補正対象項目名】００１５
【補正方法】変更
【補正の内容】
【００１５】
また、第３の本発明は、
前記制御サーバは、前記利用者用端末および前記制御サーバ自身に入力された入力データ、および前記インターネットから取得する前記少なくとも天候及び日射角度に関する情報を初期データとして用いて前記ＬＥＤの調光を制御し、前記ＬＥＤ照明管に対して前記無線リモコンから送信されてきた前記指示情報を前記ＬＥＤ照明管から前記インターネットを介して受信した場合には、前記指示情報を反映するように学習し、その学習結果にしたがって前記ＬＥＤの調光を制御する、第１の本発明のＬＥＤ照明制御システムである。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
また、第４の本発明は、
前記ＬＥＤ照明管単位ごとに個別に調光を制御するとは、一の前記ＬＥＤ照明管ごとに調光を制御すること、または一群の複数の前記ＬＥＤ照明管ごとに調光を制御することである、第１の本発明のＬＥＤ照明制御システムである。